(57)【特許請求の範囲】
【請求項１】
板状部材差込み部が設けられて配線基板上に配されるハウジングと、
該ハウジングに配列配置されて設けられ、上記配線基板に設けられた配線端子に連結される状態をとり、配線板状部材が上記ハウジングに上記板状部材差込み部を通じて差し込まれたとき、上記ハウジングに差し込まれた配線板状部材における複数の接触端子部に接触接続される複数のコンタクトと、
上記ハウジングに取り付けられて、配線板状部材が上記ハウジングに上記板状部材差込み部を通じて差し込まれたとき、上記複数のコンタクトが上記複数の接触端子部に接触接続された状態を維持すべく上記配線板状部材に対する係止を行う係止状態と上記係止を解除する係止解除状態とを選択的にとる係合部材と、
を備えて成り、
上記係合部材が、上記ハウジングに固定される基部と該基部から互いに独立して伸びる第１及び第２の可動アーム状部とを有していて、上記第１の可動アーム状部に、上記板状部材差込み部を通じて上記ハウジングに差し込まれた配線板状部材における係合部に係合して上記配線板状部材を係止する係止部が形成されているとともに、上記第２の可動アーム状部に、上記ハウジングの外部へと突出する操作部と、上記第１の可動アーム状部に向かって突出し、上記操作部に移動操作が加えられるとき、上記第１の可動アーム状部を押圧して変位させ、上記係止部による上記配線板状部材に対する係止を解除する押圧部とが形成されたものとして、弾性金属板材に加工が施されて一体形成されていることを特徴とするコネクタ装置。
【請求項２】
上記係合部材が、上記第１の可動アーム状部が上記基部から第１の折返し屈曲部を介して伸びる第１の弾性揺動可能部を成すとともに、上記第２の可動アーム状部が上記基部から第２の折返し屈曲部を介して伸びる第２の弾性揺動可能部を成し、上記第２の可動アーム状部に形成された上記押圧部が上記第１の可動アーム状部における上記係止部に近接した部分に向かって突出していることを特徴とする請求項１記載のコネクタ装置。
【請求項３】
上記第１の可動アーム状部に形成された上記係止部が、上記ハウジングへの上記板状部材差込み部を通じた配線板状部材の差込み方向に沿って上昇傾斜する傾斜面を有しており、該傾斜面を形成する部分を上記配線板状部材に設けられた係合部に係合させることを特徴とする請求項１記載のコネクタ装置。
【請求項４】
上記係合部材が、上記基部から上記ハウジングの外部へと伸びて上記配線基板に設けられた導体部分に半田付けされる半田付け部を有していることを特徴とする請求項１記載のコネクタ装置。
【請求項５】
上記複数のコンタクトの夫々の一端部が上記ハウジングにおける一対の対向端面部の一方から上記ハウジングの外部に突出して上記配線基板に設けられた配線端子に半田付けされ、上記半田付け部が上記ハウジングにおける一対の対向端面部の他方から上記ハウジングの外部に突出して上記配線基板に設けられた導体部分に半田付けされることを特徴とする請求項４記載のコネクタ装置。
【請求項６】
上記ハウジングの外面部の一部における該ハウジングの外部に突出する上記係合部材における上記操作部の周囲に、凹部が形成されていることを特徴とする請求項１記載のコネクタ装置。
【請求項７】
上記係合部材が、上記ハウジングにおける上記複数のコンタクトの配列方向の両端部の夫々に設けられることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接触端子部に接触接続されるコンタクトと、装着された配線板状部材に対する係止及び係止解除を行う係合部材と、を備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル印刷配線基板とされる配線板状部材の主配線基板への取付けに用いられるコネクタ装置であって第１の類型に属するものは、配線板状部材が差し込まれる差込み部を形成するものとされて主配線基板に配される、例えば、絶縁材料によって形成されたハウジングを有している。そして、そのハウジング内に配列配置されて設けられて主配線基板に設けられた配線端子に連結され、配線板状部材が差込み部を通じてハウジングに差し込まれるとき、その配線板状部材に設けられた複数の接触端子部に夫々対応するものとなる複数のコンタクトと、ハウジングに対して回動可能に設けられたアクチュエータとを備えている。
【０００４】
斯かる従来の第１の類型に属するコネクタ装置に備えられるアクチュエータは、複数のコンタクトの夫々に係合し、回動せしめられるとき複数のコンタクトの夫々における作動部を変位させて、複数のコンタクトに、差込み部を通じてハウジングに差し込まれた配線板状部材に設けられた複数の接触端子部に夫々接触接続された状態、もしくは、複数の接触端子部との接触接続から解放された状態をとらせるもの、または、差込み部を通じてハウジングに差し込まれた配線板状部材に当接し、回動せしめられるとき、配線板状部材を押圧して当該配線板状部材に設けられた複数の接触端子部を複数のコンタクトに夫々接触接続された状態におく、もしくは、配線板状部材に対する押圧を解除して当該配線板状部材に設けられた複数の接触端子部を複数のコンタクトとの接触接続から解放された状態におくものとされる。そして、複数のコンタクトと配線板状部材に設けられた複数の接触端子部とが相互接触接続されることにより、配線板状部材が主配線基板との電気的接続状態におかれる。
【０００５】
さらに、従来提案されている配線板状部材の主配線基板への取付けに用いられるコネクタ装置であって第２の類型に属するものは、上述のようなハウジングを有し、上述のような複数のコンタクトを備えるとともに、外部からの電磁波ノイズに対するシールド効果を得るため、ハウジングを部分的もしくは全体的に覆うものとして配されて主配線基板に設けられた接地端子に連結される導電性シェルを備えているが、ハウジングに対して回動可能に設けられるアクチュエータは備えていない。斯かる従来の第２の類型に属するコネクタ装置にあっては、配線板状部材が差込み部を通じてハウジングに差し込まれたとき、自動的に、ハウジング内に設けられた複数のコンタクトが、差し込まれた配線板状部材に設けられた複数の接触端子部に夫々接触接続され、配線板状部材が差込み部を通じてハウジングに適正に差し込まれるだけで、配線板状部材が主配線基板との電気的接続状態におかれる。
【０００６】
このような従来提案されているコネクタ装置にあっては、ハウジングに対して回動可能に設けられるアクチュエータを備えたもの及び斯かるアクチュエータを備えていないもののいずれの場合にも、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的接続状態におかれるにあたり、配線板状部材がハウジングから不所望に抜脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００７】
そのため、上述のような、ハウジングを有し、複数のコンタクトとハウジングに対して回動可能とされるアクチュエータとを備えた第１の類型に属するコネクタ装置であって、ハウジングに差込み部を通じて差し込まれた配線板状部材に係合して、当該配線板状部材のハウジングからの不所望な抜脱の阻止に関与する係止手段を備えたものが従来提案されている（例えば、特許文献１参照。）。また、上述のような、ハウジングを有し、複数のコンタクトを備え、さらに導電性シェルを備えているが、ハウジングに対して回動可能とされるアクチュエータは備えていない第２の類型に属するコネクタ装置であって、ハウジングに差込み部を通じて差し込まれた配線板状部材に係合して、当該配線板状部材のハウジングからの不所望な抜脱を阻止する係止手段を備えたものも従来提案されている（例えば、特許文献２及び特許文献３参照。）。
【０００８】
特許文献１に示されるコネクタ装置（フレキシブル基板用コネクタ）にあっては、ハウジング(2) における複数のコンタクト(6) の配列方向の両端側壁(5) に一対の補強金具(20)が夫々取り付けられており、各補強金具には、ハウジングに差込み部（開口部(3))を通じて差し込まれた配線板状部材（フレキシブル基板(30)) に当接して配線板状部材にそれを押し上げる方向の押圧力を作用させる、もしくは、ハウジングに差込み部を通じて差し込まれた配線板状部材における係合部（係合孔又は切欠き部(32)) に係合する状態をとる係止手段（弾性支持片(25)) が形成されている。そして、ハウジングに対して回動可能に設けられたアクチュエータ（加圧部材(12)) が、ハウジングに対して起き上がった位置からハウジングに対して伏した位置へと回動されるとき、ハウジングに差し込まれた配線板状部材が、アクチュエータによって、補強金具に形成された係止手段とは反対側から当該係止手段に向かって押圧される。
【０００９】
それにより、ハウジングに差し込まれた配線板状部材が、アクチュエータと補強金具に形成された係止手段とによって押圧挟持されることにより係止され、もしくは、補強金具に形成された係止手段が配線板状部材における係合部に係合することにより係止される。それにより、ハウジングに差し込まれた配線板状部材のハウジングからの不所望な抜脱が阻止される。
【００１０】
その後、アクチュエータが、ハウジングに対して伏した位置からハウジングに対して起き上がった位置へと回動されるとき、ハウジングに差し込まれた配線板状部材がアクチュエータにより押圧されなくなり、配線板状部材がアクチュエータと補強金具に形成された係止手段とによって押圧挟持された状態、もしくは、補強金具に形成された係止手段が配線板状部材における係合部に係合した状態が解除される。それにより、ハウジングに差し込まれた配線板状部材がハウジングから抜脱され得る状態におかれる。
【００１１】
また、特許文献２に示されるコネクタ装置（ロック付きＦＰＣ用コネクタ）にあっては、ハウジング（絶縁ハウジング(5))にそれに対してスライド可能に設けられた可動導電性シェル（イジェクトプレート(8))が備えられている。この可動導電性シェルは、ハウジングとの間に配されたコイルスプリング等の弾性部材(7) によって、ハウジングに対する配線板状部材 (ＦＰＣ基板(2))の差込み方向とは逆の方向に付勢されている。また、ハウジングにおける複数のコンタクト（コンンタクトピン(4))の配列方向の両端部分に一対の可動係止手段（弾性係止爪(6))が夫々取り付けられており、各可動係止手段は、その先端部に、ハウジングに差込み部（開口部(3))を通じて差し込まれた配線板状部材における係合部（凹部(2d)) に係合する状態をとる係止部(6c)が形成されていて、配線板状部材に対するロック装置を構成している。
【００１２】
各可動係止手段には、可動導電性シェルにおける透孔内に配される突起を成すイジェクト係止片(6d)が形成されていて、このイジェクト係止片(6d)には、可動導電性シェルがスライドするとき、当該可動導電性シェルにおける透孔に形成されたテーパ部(8a)が係合する。
【００１３】
そして、各可動係止手段に形成されたイジェクト係止片が可動導電性シェルにおける透孔内に配されていて、当該透孔に形成されたテーパ部がイジェクト係止片に係合していないもとで、配線板状部材がハウジングに差込み部を通じて差し込まれると、可動係止手段に形成された係止部が、配線板状部材における係合部に係合して配線板状部材を係止する。それにより、ハウジングに差し込まれた配線板状部材のハウジングからの不所望な抜脱が阻止される。
【００１４】
その後、可動導電性シェルが、それをハウジングに対する配線板状部材の差込み方向とは逆の方向に付勢している弾性部材の付勢力に抗して、ハウジングに対する配線板状部材の差込み方向に沿う方向にスライドせしめられると、スライドする可動導電性シェルにおける透孔に形成されたテーパ部が、可動係止手段に形成されたイジェクト係止片に係合して、そのイジェクト係止片を押圧し、可動係止手段をそれに形成された係止部の配線板状部材における係合部との係合状態を解除する方向に移動させる。それにより、可動係止手段に形成された係止部が配線板状部材における係合部との係合から解放され、ハウジングに差し込まれた配線板状部材がハウジングから抜脱され得る状態におかれる。
【００１５】
さらに、特許文献３に示されるコネクタ装置にあっては、ハウジング(11)の外面部を部分的に覆うものとして配された導電性シェル(14)に、ハウジング内に伸びて、ハウジングにそれに設けられた板状部材差込み部(12)を通じて差し込まれた配線板状部材であるフレキシブル印刷配線基板(40)を係止する状態をとる係止手段（ロック部(20)) が形成されている。また、ハウジングには、それと一体的に形成されて移動可能とされ、一端部が導電性シェルの外方に突出するとともに、他端部が係止手段に係合する係止解除手段（ロック解除部(30)) が設けられている。
【００１６】
係止手段は、ハウジングに差し込まれた配線板状部材における係合部(43;44) に係合して配線板状部材を係止する係止部(23)と係止部を変位可能に支持する弾性ア−ム部(22)とを備えており、弾性ア−ム部に係止解除手段の他端部が係合する。
【００１７】
そして、配線板状部材がハウジングに板状部材差込み部を通じて差し込まれたとき、配線板状部材における係合部に係止手段における係止部が係合して配線板状部材を係止し、それにより、ハウジングに差し込まれた配線板状部材のハウジングからの不所望な抜脱が阻止される。
【００１８】
その後、導電性シエルの外部に突出した係止解除手段の一端部をハウジング内に向けて押圧する押圧操作が行われると、係止解除手段の他端部が係止手段における弾性ア−ム部に係合してその弾性ア−ム部を変位させ、それに伴って、弾性ア−ム部より支持された係止部が配線板状部材における係合部との係合を解除する位置へと変位せしめられる。それにより、可動係止手段に形成された係止部が配線板状部材における係合部との係合から解放され、ハウジングに差し込まれた配線板状部材がハウジングから抜脱され得る状態におかれる。
【先行技術文献】
【特許文献】
【００１９】
【特許文献１】特開２００３−１００３７０号公報（３〜４頁，図１〜１０）
【特許文献２】特開２００９−２３１０６９号公報（３〜４頁，図１〜５）
【特許文献３】特開２０１１−４０２４６号公報（１１〜１６頁，図５〜１１，１５〜１７）
【発明の概要】
【発明が解決しようとする課題】
【００２０】
上述のような、ハウジングに差し込まれたフレキシブル印刷配線基板等の配線板状部材のハウジングからの不所望な抜脱の阻止に関与する係止手段を備えた、配線板状部材の主配線基板への取付けに用いられるコネクタ装置として、従来提案されているものにあっては、係止手段の配線板状部材に対する係止への関与がハウジングに対して回動可能とされたアクチュエータの回動操作に連動して行われる状態，係止手段による配線板状部材に対する係止解除がハウジングに対して移動可能に設けられた可動導電性シェルの移動に連動して行われる状態、あるいは、導電性シェルに形成された係止手段による配線板状部材に対する係止解除がハウジングに一体的に設けられた係止解除手段が押圧操作されることにより行われる状態がとられる。
【００２１】
そして、係止手段の配線板状部材に対する係止への関与がハウジングに対して回動可能とされたアクチュエータの回動操作に連動して行われる状態がとられる従来のコネクタ装置の場合には、ハウジングに対して回動可能とされたアクチュエータを備えることが不可欠とされ、そのことが、コネクタ装置の製造コストを嵩ませる要因となる。それに加えて、係止手段を配線板状部材に対する係止あるいは係止解除に関与させるにあたっては、アクチュエータをハウジングに対して回動させる操作が不可欠とされ、斯かる操作を行うための不所望なスペースをコネクタ装置の周囲に設けることが必要とされる。
【００２２】
また、ハウジングに対して移動可能とされた可動導電性シェルが備えられ、係止手段による配線板状部材に対する係止解除が可動導電性シェルの移動に連動して行われる状態がとられる従来のコネクタ装置の場合には、可動導電性シェルがハウジングに対して移動可能とされるので、コネクタ装置の主配線基板への固定のために導電性シェルを利用することができず、別途、コネクタ装置を主配線基板に固定するための部材（ホールドダウン部材）を備えることが必要とされ、そのことが、コネクタ装置の製造コストを嵩ませる要因となる。さらに、ハウジングに対して可動導電性シェルを移動可能とするための機構が必要とされて、そのことが構成の複雑化をまねき、コネクタ装置の製造コストをなお一層嵩ませることになってしまう。
【００２３】
さらに、導電性シェルに形成された係止手段による配線板状部材に対する係止解除がハウジングに一体的に設けられた係止解除手段が押圧操作されることにより行われる状態がとられる従来のコネクタ装置の場合には、係止手段がハウジングの外面部を部分的に覆う導電性シェルに形成されるのに対して、係止解除手段がハウジングに一体的に設けられるので、導電性シェル及びハウジングの両方についての構成の複雑化がまねかれてしまう。また、導電性シェルは通常金属材料によって形成され、また、ハウジングは通常絶縁材料によって形成されるので、係止手段が金属材料製とされ、一方、係止解除手段は絶縁材料製とされることになり、その結果、ハウジングに一体的に設けられて移動可能とされる係止解除手段が、導電性シェルに形成される係止手段に比して耐久性において劣るものとなることが考えられる。
【００２４】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングとハウジングに配列配置されて設けられる複数のコンタクトとを備えたコネクタ装置であって、ハウジングに対して回動可能とされるアクチュエータ、あるいは、ハウジングに対して移動可能とされる可動導電性シェル等が不要とされ、さらには、導電性シェルとハウジングとに夫々係止手段と係止解除手段とを設ける必要がなく、それにより、構成の簡略化と部品点数の減少とによる製造コストの低減を図ることができ、しかも、配線板状部材に対する係止及び係止の解除を行う手段の耐久性を向上させることができるもとで、ハウジングに板状部材差込み部を通じて差し込まれた配線板状部材に対するハウジングからの不所望な抜脱を阻止するための係止及びその係止の解除を、確実かつ容易に行えることになるものを提供する。
【課題を解決するための手段】
【００２５】
本願の特許請求の範囲における請求項１から請求項７までのいずれかに記載された発明（以下、本発明という。）に係るコネクタ装置は、板状部材差込み部が設けられて配線基板上に配されるハウジングと、ハウジングに配列配置されて設けられ、配線基板に設けられた配線端子に連結される状態をとり、配線板状部材がハウジングに板状部材差込み部を通じて差し込まれたとき、ハウジングに差し込まれた配線板状部材における複数の接触端子部に接触接続される複数のコンタクトと、ハウジングに取り付けられて、配線板状部材がハウジングに板状部材差込み部を通じて差し込まれたとき、複数のコンタクトが複数の接触端子部に接触接続された状態を維持すべく配線板状部材に対する係止を行う係止状態とその係止を解除する係止解除状態とを選択的にとる係合部材とを備えて成り、係合部材が、ハウジングに固定される基部とそれから互いに独立して伸びる第１及び第２の可動アーム状部とを有していて、第１の可動アーム状部に、板状部材差込み部を通じてハウジングに差し込まれた配線板状部材における係合部に係合して当該配線板状部材を係止する係止部が形成されているとともに、第２の可動アーム状部に、ハウジングの外部へと突出する操作部と、第１の可動アーム状部に向かって突出し、操作部に移動操作が加えられるとき、第１の可動アーム状部を押圧して変位させ、係止部による配線板状部材に対する係止を解除する押圧部とが形成されたものとして、弾性金属板材に加工が施されて一体形成されていることを特徴とするものとされる。
【００２６】
特に、本願の特許請求の範囲における請求項２に記載された本発明に係るコネクタ装置にあっては、第１の可動アーム状部が基部から第１の折返し屈曲部を介して伸びる第１の弾性揺動可能部を成すとともに、第２の可動アーム状部が基部から第２の折返し屈曲部を介して伸びる第２の弾性揺動可能部を成し、第２の可動アーム状部に形成された押圧部が第１の可動アーム状部における係止部に近接した部分に向かって突出している。
【００２７】
また、本願の特許請求の範囲における請求項６に記載された本発明に係るコネクタ装置にあっては、ハウジングの外面部の一部におけるハウジングの外部に突出する係合部材における操作部の周囲に、凹部が形成されている。
【００２８】
上述のような本発明に係るコネクタ装置にあっては、配線板状部材が配線基板上に配されるハウジングにそれに設けられた板状部材差込み部を通じて差し込まれると、ハウジングに配列配置された複数のコンタクトが、差し込まれた配線板状部材における複数の接触端子部に接触接続されるとともに、ハウジングに取り付けられた係合部材が、ハウジング内において、差し込まれた配線板状部材を係止し、配線板状部材のハウジングからの不所望な抜脱を阻止する。そして、係合部材が配線板状部材を係止したもとで、係合部材に所定の操作が加えられると、配線板状部材を係止した係合部材が、ハウジング内において、配線板状部材に対する係止を解除して、配線板状部材のハウジングからの抜脱を可能とする。
【００２９】
斯かるもとで、係合部材は、弾性金属板材に加工が施されて一体形成されていて、ハウジングに固定される基部とその基部から互いに独立して伸びる第１及び第２の可動アーム状部とを有しており、第１の可動アーム状部には、板状部材差込み部を通じてハウジングに差し込まれた配線板状部材における、例えば、係合切欠き部もしくは係合孔とされる係合部に係合して当該配線板状部材を係止する係止部が形成され、また、第２の可動アーム状部には、ハウジングの外部へと突出する操作部と第１の可動アーム状部に向かって突出する押圧部とが形成される。そして、係止部がハウジングに差し込まれた配線板状部材を係止したもとで、操作部に移動操作が加えられると、押圧部が、第１の可動アーム状部を押圧して変位させ、それにより、係止部による配線板状部材に対する係止を解除する。
【００３０】
さらに、係合部材は、例えば、本願の特許請求の範囲における請求項２に記載された本発明に係るコネクタ装置の場合のように、第１の可動アーム状部が基部から第１の折返し屈曲部を介して伸びる第１の揺動可能部を成すとともに、第２の可動アーム状部が基部から第２の折返し屈曲部を介して伸びる第２の揺動可能部を成し、第２の可動アーム状部に形成された押圧部が第１の可動アーム状部における係止部に近接した部分に向かって突出するものとして構成される。
【００３１】
また、ハウジングの外面部の一部には、例えば、本願の特許請求の範囲における請求項６に記載された本発明に係るコネクタ装置の場合のように、係合部材の第２の可動アーム状部に形成されてハウジング外に突出する操作部の周囲に凹部が形成される。
【発明の効果】
【００３２】
本発明に係るコネクタ装置においては、上述のように、ハウジングにそれに設けられた板状部材差込み部を通じて差し込まれた配線板状部材に対しての、ハウジングに取り付けられた係合部材による、配線板状部材のハウジングからの不所望な抜脱を阻止するための係止、及び、配線板状部材のハウジングからの抜脱を可能とするための係止の解除を行うにあたり、例えば、ハウジングに対して回動可能とされるアクチュエータ、あるいは、ハウジングに対して移動可能とされる可動導電性シェル等が不要とされ、さらには、ハウジングの外面部を覆う導電性シェルとハウジングとに夫々係止手段と係止解除手段とを設けることが必要とされず、それにより、構成の簡略化と部品点数の減少とによる製造コストの低減を図ることができ、しかも、配線板状部材に対する係止及び係止の解除を行う手段の耐久性を向上させることができる。
【００３３】
また、ハウジングに差し込まれた配線板状部材に対する係止及び係止の解除を行う係合部材が、弾性金属板材に加工が施されて一体形成されていて、ハウジングに固定される基部とその基部から互いに独立して伸びる第１及び第２の可動アーム状部とを有しており、第１の可動アーム状部には、板状部材差込み部を通じてハウジングに差し込まれた配線板状部材における係合部に係合して当該配線板状部材を係止する係止部が形成され、また、第２の可動アーム状部には、ハウジングの外部へと突出する操作部と第１の可動アーム状部に向かって突出する押圧部とが形成されて、係止部がハウジングに差し込まれた配線板状部材を係止したもとで、操作部に移動操作が加えられると、押圧部が、第１の可動アーム状部を押圧して変位させ、それにより、係止部による配線板状部材に対する係止を解除する。従って、係合部材は、配線板状部材を係止する係止部と係止部による配線板状部材に対する係止を解除する操作部及び押圧部とを含む全体が一体に形成される、簡単で容易に得ることができる構成を有していることになる。
【００３４】
そして、このような本発明に係るコネクタ装置にあっては、配線板状部材をハウジングにそれに設けられた板状部材差込み部を通じて差し込むだけで、配線板状部材に対しての係合部材の係止部による係止を行うことができ、それとともに、配線板状部材に対しての係止部による係止の解除を、ハウジングの外部へと突出する係合部材の操作部に、例えば、押圧操作とされる移動操作を加えるだけで行うことができるので、配線板状部材についての係合部材による係止及び係止解除を極めて簡単な操作によって行うことができるとともに、斯かる操作のために部材の周囲に不所望なスペースを設けることが必要とされない。
【００３５】
特に、本願の特許請求の範囲における請求項２に記載された本発明に係るコネクタ装置にあっては、係合部材が、第１の可動アーム状部が基部から第１の折返し屈曲部を介して伸びる第１の弾性揺動可能部を成すとともに、第２の可動アーム状部が基部から第２の折返し屈曲部を介して伸びる第２の弾性揺動可能部を成し、第２の可動アーム状部に形成された押圧部が第１の可動アーム状部における係止部に近接した部分に向かって突出するものとして構成される。それにより、斯かる係合部材にあっては、全体の小型化を図ることができるもとで、係止部による配線板状部材に対する係止に寄与する弾性力と係止部による配線板状部材に対する係止の解除に寄与する弾性力とを、第１及び第２の可動アーム状部の夫々の設定によって個別に設定することができるので、係止部による配線板状部材に対する係止をより確実にすることと係止部による配線板状部材に対する係止の解除をより容易にすることとを両立させることができる。
【００３６】
それに加えて、操作部に移動操作が加えられたとき、押圧部が、第１の可動アーム状部における係止部に近接した部分に当接する状態のもとに、第１の可動アーム状部を押圧して変位させることになり、それゆえ、操作部に対する移動操作の操作量を必要最小限とすることができ、また、第１の可動アーム状部にねじれ等の変形を生じさせる虞を回避することができる。
【００３７】
さらに、本願の特許請求の範囲における請求項６に記載された本発明に係るコネクタ装置にあっては、ハウジングの外面部の一部が、係合部材の第２の可動アーム状部に形成されてハウジング外に突出する操作部の周囲に凹部が形成されたものとされることにより、例えば、押圧操作とされる移動操作が行われる係合部材における操作部のハウジング外への突出量を、操作部がハウジングにおける凹部周囲の外面部を越えないもの、もしくは、若干越える程度のものとすることができ、しかも、そのようにしたもとにおいても、操作部に対する移動操作を行い易い状態を得ることができる。
【図面の簡単な説明】
【００３８】
【図１】本発明に係るコネクタ装置の一例をそれに装着されるフレキシブル印刷配線基板と共に示す斜視図である。
【図２】本発明に係るコネクタ装置の一例を示す平面図である。
【図３】本発明に係るコネクタ装置の一例を示す正面図である。
【図４】図３におけるIV−IV線断面を示す断面図である。
【図５】本発明に係るコネクタ装置の一例が備える係合部材を示す斜視図である。
【図６】本発明に係るコネクタ装置の一例が備える係合部材を示す平面図である。
【図７】本発明に係るコネクタ装置の一例の断面を本発明に係るコネクタ装置の一例に装着されるフレキシブル印刷配線基板と共に示す図である。
【図８】本発明に係るコネクタ装置の一例が備えるハウジングに対するフレキシブル印刷配線基板の差込みが開始された状態を示す断面図である。
【図９】本発明に係るコネクタ装置の一例が備える係合部材が、コネクタ装置の一例が備えるハウジングに差し込まれたフレキシブル印刷配線基板を係止した状態を示す断面図である。
【図１０】本発明に係るコネクタ装置の一例が備える係合部材が、コネクタ装置の一例が備えるハウジングに差し込まれたフレキシブル印刷配線基板に対する係止を解除し、フレキシブル印刷配線基板がハウジングから抜脱された状態を示す断面図である。
【発明を実施するための形態】
【００３９】
本発明を実施するための形態は、以下に述べられる本発明についての実施例をもって説明される。
【実施例】
【００４０】
図１（斜視図）は、本発明に係るコネクタ装置の一例をそれに装着されるフレキシブル印刷配線基板の部分と共に示し、図２（平面図）及び図３（正面図）は、本発明に係るコネクタ装置の一例を示す。
【００４１】
図１，図２及び図３において、本発明に係るコネクタ装置の一例を成すコネクタ装置１０は、合成樹脂等の絶縁材料によって形成されたハウジング１１を備えている。ハウジング１１には、その正面側端面部に板状部材差込み部１２が設けられており、板状部材差込み部１２からハウジング１１の内部へと板状部材収容空間が伸びている。
【００４２】
ハウジング１１は、例えば、図示されていない主配線基板に配され、それにより、コネクタ装置１０の全体が主配線基板に取り付けられたものとされる。その際、ハウジング１１における正面側端面部とそれに対向する背面側端面部とに挟まれた一対の対向外面部のうちの一方が主配線基板に対接する外面部とされて他方が開放された外面部とされる。以下においては、主配線基板に対接するハウジングの一外面部を下方外面部といい、それに対向するハウジングの他外面部を上方外面部という。そして、正面側端面部に設けられた板状部材差込み部１２を通じて、例えば、フレキシブル印刷配線基板１３が、配線板状部材を成すものとして、ハウジング１１に差し込まれる。
【００４３】
ハウジング１１における正面側端面部には、ハウジング１１の長手方向（左右方向）において板状部材差込み部１２を挟む一対の突出柱状部１４及び１５が設けられており、さらに、板状部材差込み部１２に沿って伸びて突出柱状部１４及び１５を相互連結する突出連結部１６が設けられている。突出柱状部１４及び１５には、相互対向する傾斜面部１４ａ及び１５ａが形成されており、さらに、突出連結部１６にも傾斜面部１６ａが形成されている。これらに傾斜面部１４ａ，１５ａ及び１６ａは、配線板状部材を成すフレキシブル印刷配線基板１３がハウジング１１に板状部材差込み部１２を通じて差し込まれる際に、フレキシブル印刷配線基板１３を板状部材差込み部１２へと案内する役割を果たす。
【００４４】
ハウジング１１には、その内部に、各々が弾性導電材料で形成された複数のコンタクト１７が、ハウジング１１の長手方向に沿って配列配置されて設けられている。複数のコンタクト１７は、配線板状部材を成すフレキシブル印刷配線基板１３に配列配置された複数の接触端子部１８に接触接続される信号用コンタクトとして設けられているが、他のフレキシブル印刷配線基板における複数の信号接続端子部及び接地接続部に接触接続される信号用及び接地用コンタクトとして用いられてもよい。
【００４５】
図２、さらには、図３におけるIV−IV線断面をあらわす図４に示されるように、複数のコンタクト１７の夫々は、ハウジング１１に固定される固定部２１と、固定部２１からハウジング１１の内部へと伸びる屈曲アーム部２２と、固定部２１からハウジング１１の外部へと伸びる接続端子部２３とを有している。屈曲アーム部２２には、その先端部分に接点部２４が形成されている。接続端子部２３は、ハウジング１１が配された主配線基板に設けられた配線端子に、例えば、半田付けにより接続される。そして、複数のコンタクト１７は、例えば、ハウジング１１の背面側端面部側から、ハウジング１１の内部へと押圧挿入されて、各々の固定部２１がハウジング１１の背面側端面部に固定される。
【００４６】
このようなもとで、ハウジング１１に板状部材差込み部１２を通じて差し込まれるフレキシブル印刷配線基板１３は、それにおける複数の接触端子部１８がハウジング１１に配列配置された複数のコンタクト１７に夫々対応する位置をとる状態におかれる。そして、複数のコンタクト１７の夫々における接点部２４が、ハウジング１１に差し込まれたフレキシブル印刷配線基板１３における複数の接触端子部１８のうちの対応するものに接触接続される。それにより、ハウジング１１に差し込まれたフレキシブル印刷配線基板１３における複数の接触端子部１８が、複数のコンタクト１７を介して、ハウジング１１が配された主配線基板に設けられた配線端子に連結される。
【００４７】
また、コネクタ装置１０は、ハウジング１１における長手方向の両端部、即ち、板状部材差込み部１２をハウジング１１の長手方向において挟む一対の端部に夫々設けられた、例えば、金属材料によって形成された一対の係合部材２５及び２６を備えている。係合部材２５及び２６は、配線板状部材を成すフレキシブル印刷配線基板１３が板状部材差込み部１２を通じてハウジング１１に差し込まれたとき、フレキシブル印刷配線基板１３に対する係止を行う係止状態とその係止を解除する係止解除状態とを選択的にとるためのものとして、ハウジング１１の端部に取り付けられている。
【００４８】
係合部材２５は、弾性金属板材に加工、例えば、打抜き屈曲加工が施されて一体形成され、図５（斜視図）及び図６（平面図）に示されるように、ハウジング１１に固定される基部２７と基部２７から互いに独立して伸びる第１の可動アーム状部２８と第２の可動アーム状部２９とを有している。第１の可動アーム状部２８は、基部２７から第１の折返し屈曲部３０を介して伸びており、基部２７に所定の距離をおいて対向するものとして配されていて、基部２７に近接あるいは離隔する揺動を弾性をもって行う第１の弾性揺動可能部を形成している。また、第２の可動アーム状部２９は、基部２７から第２の折返し屈曲部３１を介して伸びており、基部２７に所定の距離をおいて対向するものとして配されていて、基部２７に近接あるいは離隔する揺動を弾性をもって行う第２の弾性揺動可能部を形成している。
【００４９】
第１の折返し屈曲部３０及び第２の折返し屈曲部３１は、各々の屈曲方向を互いに逆方向として基部２７に連結されており、それにより、第１の可動アーム状部２８が第１の折返し屈曲部３０から伸びる方向と第２の可動アーム状部２９が第２の折返し屈曲部３１から伸びる方向とは、互いに逆方向とされている。
【００５０】
そして、基部２７には、ハウジング１１に圧入される一対の圧入突起部３２とハウジング１１の正面側端面部からその外部へと伸びることになる半田付け部３３とが設けられている。一対の圧入突起部３２は、夫々がハウジング１１に圧入されることにより、ハウジング１１に対して基部２７を固定する。また、半田付け部３３は、例えば、ハウジング１１の背面側端面部からその外部に突出するコンタクト１７の接続端子部２３がハウジング１１が配された主配線基板に設けられた配線端子に半田付けされるもとで、ハウジング１１の正面側端面部側において主配線基板に設けられた導体部分に半田付けされ、それにより、主配線基板に対するその上に配されたハウジング１１の堅固な固定に貢献する。
【００５１】
第１の可動アーム状部２８には、板状部材差込み部１２を通じてハウジング１１に差し込まれた配線板状部材を成すフレキシブル印刷配線基板１３における切欠き係合部３４に係合してフレキシブル印刷配線基板１３を係止する係止部３５が、第１の可動アーム状部２８から第２の可動アーム状部２９側に向かって突出するものとして形成されている。係止部３５は、ハウジング１１への板状部材差込み部１２を通じたフレキシブル印刷配線基板１３の差込み方向に沿って上昇傾斜することになる傾斜面３５ａを形成しており、傾斜面３５ａを形成する部分を、フレキシブル印刷配線基板１３に設けられた切欠き係合部３４に係合させる。フレキシブル印刷配線基板１３が板状部材差込み部１２を通じてハウジング１１に差し込まれたとき、係止部３５が形成する傾斜面３５ａは、それに当接するフレキシブル印刷配線基板１３の端縁部３６を係止部３５を乗り越させるように案内する。
【００５２】
第２の可動アーム状部２９には、第１の可動アーム状部２８から離隔する方向に伸びてハウジング１１の外部へと突出することになる操作部３７と、第１の可動アーム状部２８における係止部３５に近接した部分に向かって突出する押圧部３８と、が形成されている。操作部３７は、平板状を成すものとされており、必要に応じて、基部２７に向かう方向に移動すべく押圧される移動操作がハウジング１１外から加えられる。そして、操作部３７に移動操作が加えられるときには、第２の可動アーム状部２９が基部２７に近接する揺動を行って変位し、それにより、押圧部３８が、第１の可動アーム状部２８における係止部３５に近接した部分に当接して、第１の可動アーム状部２８を押圧する。その結果、第１の可動アーム状部２８が基部２７に近接する揺動を行って変位し、それに伴って、第１の可動アーム状部２８に形成された係止部３５が、基部２７に近接するように変位する。
【００５３】
このように構成された係合部材２５が、一対の圧入突起部３２がハウジング１１に圧入されてハウジング１１の端部に取り付けられたときには、第１の可動アーム状部２８に形成された係止部３５が、ハウジング１１の正面側端面部に設けられた板状部材差込み部１２からハウジング１１の内部へと伸びる板状部材収容空間内となる位置に配され、また、第２の可動アーム状部２９に形成された操作部３７が、ハウジング１１における上方外面部からその外方に突出するものとされる。
【００５４】
それにより、フレキシブル印刷配線基板１３がハウジング１１に板状部材差込み部１２を通じて差し込まれたときには、板状部材収容空間内となる位置に配された係止部３５がフレキシブル印刷配線基板１３における切欠き係合部３４に係合してフレキシブル印刷配線基板１３を係止する。そして、係止部３５がフレキシブル印刷配線基板１３における切欠き係合部３４に係合してフレキシブル印刷配線基板１３を係止しているもとで、ハウジング１１における上方外面部からその外方に突出するものとされた操作部３７に移動操作が加えられると、係止部３５が、基部２７に近接するように変位して、フレキシブル印刷配線基板１３における切欠き係合部３４との係合を止め、フレキシブル印刷配線基板１３に対する係止を解除する。
【００５５】
斯かる構成のもとで、第１の弾性揺動可能部を形成する第１の可動アーム状部２８が具える弾性力と第２の弾性揺動可能部を形成する第２の可動アーム状部２９が具える弾性力とは、第１の可動アーム状部２８及び第２の可動アーム状部２９の夫々の設定によって個別に設定される。例えば、係止部３５によるフレキシブル印刷配線基板１３に対する係止に寄与することになる第１の可動アーム状部２８が具える弾性力が、係止部３５によるフレキシブル印刷配線基板１３に対する係止の解除に寄与することになる第２の可動アーム状部２９が具える弾性力より大とされ、それにより、係止部３５によるフレキシブル印刷配線基板１３に対する係止をより確実にすることと係止部３５によるフレキシブル印刷配線基板１３に対する係止の解除をより容易にすることとが両立される。
【００５６】
また、係合部材２６も、弾性金属板材に加工、例えば、打抜き屈曲加工が施されて一体形成され、係合部材２５とは鏡面対称を成す構成を有するものとされる。従って、係合部材２６は、係合部材２５が有する基部２７と第１の可動アーム状部２８と第２の可動アーム状部２９とに夫々相当する、ハウジング１１に固定される基部とその基部から互いに独立して伸びる第１の可動アーム状部と第２の可動アーム状部とを有している。係合部材２６における第１の可動アーム状部は、基部から、係合部材２５における第１の折返し屈曲部３０に相当する、第１の折返し屈曲部を介して伸びていて第１の弾性揺動可能部を形成しており、また、係合部材２６における第２の可動アーム状部は、基部から、係合部材２５における第２の折返し屈曲部３１に相当する、第２の折返し屈曲部を介して伸びていて第２の弾性揺動可能部を形成している。
【００５７】
そして、係合部材２６における基部には、係合部材２５における一対の圧入突起部３２及び半田付け部３３に夫々相当する、ハウジング１１に圧入される一対の圧入突起部及びハウジング１１の正面側端面部からその外部へと伸びることになる半田付け部３９が設けられている。係合部材２６における一対の圧入突起部は、夫々がハウジング１１に圧入されることにより、ハウジング１１に対して係合部材２６における基部を固定する。また、係合部材２６における半田付け部３９は、例えば、ハウジング１１の背面側端面部からその外部に突出するコンタクト１７の接続端子部２３がハウジング１１が配された主配線基板に設けられた配線端子に半田付けされるもとで、ハウジング１１の正面側端面部側において主配線基板に設けられた導体部分に半田付けされ、それにより、主配線基板に対するその上に配されたハウジング１１の堅固な固定に貢献する。
【００５８】
係合部材２６における第１の可動アーム状部には、係合部材２５における係止部３５に相当する、板状部材差込み部１２を通じてハウジング１１に差し込まれた配線板状部材を成すフレキシブル印刷配線基板１３における切欠き係合部４０に係合してフレキシブル印刷配線基板１３を係止する係止部４１（図４）が、第１の可動アーム状部から第２の可動アーム状部側に向かって突出するものとして形成されている。係止部４１には、係合部材２５における係止部３５が形成する傾斜面３５ａに相当する、ハウジング１１への板状部材差込み部１２を通じたフレキシブル印刷配線基板１３の差込み方向に沿って上昇傾斜することになる傾斜面４１ａ（図４）を形成しており、傾斜面４１ａを形成する部分を、フレキシブル印刷配線基板１３に設けられた切欠き係合部４０に係合させる。フレキシブル印刷配線基板１３が板状部材差込み部１２を通じてハウジング１１に差し込まれたとき、係止部４１が形成する傾斜面４１ａは、それに当接するフレキシブル印刷配線基板１３の端縁部４２を係止部４１を乗り越させるように案内する。
【００５９】
係合部材２６における第２の可動アーム状部には、係合部材２５における操作部３７及び押圧部３８に夫々相当する、第１の可動アーム状部から離隔する方向に伸びてハウジング１１の外部へと突出することになる操作部４３及び第１の可動アーム状部における係止部４１に近接した部分に向かって突出する押圧部が形成されている。操作部４３は、平板状を成すものとされており、必要に応じて、係合部材２６における基部に向かう方向に移動すべく押圧される移動操作がハウジング１１外から加えられる。そして、操作部４３に移動操作が加えられるときには、係合部材２６における第２の可動アーム状部が基部に近接する揺動を行って変位し、それにより、係合部材２６における押圧部が、係合部材２６における第１の可動アーム状部における係止部４１に近接した部分に当接してその第１の可動アーム状部を押圧する。その結果、係合部材２６における第１の可動アーム状部に形成された係止部４１が、係合部材２６における基部に近接するように変位する。
【００６０】
このように構成された係合部材２６が、一対の圧入突起部がハウジング１１に圧入されてハウジング１１の端部に取り付けられたときには、係合部材２６における第１の可動アーム状部に形成された係止部４１が、ハウジング１１の正面側端面部に設けられた板状部材差込み部１２からハウジング１１の内部へと伸びる板状部材収容空間内となる位置に配され、また、係合部材２６における第２の可動アーム状部に形成された操作部４３が、ハウジング１１における上方外面部からその外方に突出するものとされる。
【００６１】
それにより、フレキシブル印刷配線基板１３がハウジング１１に板状部材差込み部１２を通じて差し込まれたときには、板状部材収容空間内となる位置に配された係止部４１がフレキシブル印刷配線基板１３における切欠き係合部４０に係合してフレキシブル印刷配線基板１３を係止する。そして、係止部４１がフレキシブル印刷配線基板１３における切欠き係合部４０に係合してフレキシブル印刷配線基板１３を係止しているもとで、ハウジング１１における上方外面部からその外方に突出するものとされた操作部４３に移動操作が加えられると、係止部４１が、係合部材２６における基部に近接するように変位して、フレキシブル印刷配線基板１３における切欠き係合部４０との係合を止め、フレキシブル印刷配線基板１３に対する係止を解除する。
【００６２】
斯かる構成をとる係合部材２６においても、第１の弾性揺動可能部を形成する第１の可動アーム状部が具える弾性力と第２の弾性揺動可能部を形成する第２の可動アーム状部が具える弾性力とは、第１の可動アーム状部及び第２の可動アーム状部の夫々の設定によって個別に設定される。例えば、係止部４１によるフレキシブル印刷配線基板１３に対する係止に寄与することになる第１の可動アーム状部が具える弾性力が、係止部４１によるフレキシブル印刷配線基板１３に対する係止の解除に寄与することになる第２の可動アーム状部が具える弾性力より大とされ、それにより、係止部４１によるフレキシブル印刷配線基板１３に対する係止をより確実にすることと係止部４１によるフレキシブル印刷配線基板１３に対する係止の解除をより容易にすることとが両立される。
【００６３】
図１に示されるように、係合部材２５における操作部３７のハウジング１１の外部への突出は、ハウジング１１の係合部材２５が設けられた端部における上方外面部の一角から操作部３７が飛び出す状態をもってなされる。そして、当該ハウジング１１の端部における上方外面部の一角には、ハウジング１１の外部へと突出する操作部３７の周囲に凹部４４が形成されている。それにより、例えば、押圧操作とされる移動操作が行われる操作部３７のハウジング１１外への突出量は、操作部３７がハウジング１１における凹部４４の周囲の外面部を若干越える程度のものとされており、このようにされたもとにおいても、操作部３７に対する移動操作は行い易いものとされる。なお、操作部３７のハウジング１１外への突出量は、操作部３７がハウジング１１における凹部４４の周囲の外面部を越えないものとされてもよい。
【００６４】
同様に、係合部材２６における操作部４３のハウジング１１の外部への突出も、ハウジング１１の係合部材２６が設けられた端部における上方外面部の一角から操作部４３が飛び出す状態をもってなされる。そして、当該ハウジング１１の端部における上方外面部の一角にも、ハウジング１１の外部へと突出する操作部４３の周囲に凹部４５が形成されている。それにより、例えば、押圧操作とされる移動操作が行われる操作部４３のハウジング１１外への突出量は、操作部４３がハウジング１１における凹部４５の周囲の外面部を若干越える程度のものとされており、このようにされたもとにおいても、操作部４３に対する移動操作は行い易いものとされる。なお、操作部４３のハウジング１１外への突出量も、操作部４３がハウジング１１における凹部４５の周囲の外面部を越えないものとされてもよい。
【００６５】
このようなもとで、コネクタ装置１０のハウジング１１が、その下方外面部を主配線基板に対接させて主配線基板に取り付けられたもとで、フレキシブル印刷配線基板１３が板状部材差込み部１２を通じてハウジング１１に差し込まれる際には、上述の図１に示されるように、フレキシブル印刷配線基板１３における複数の接触端子部１８が配列配置された部分の先端部が、ハウジング１１の正面側端面部に設けられた板状部材差込み部１２に対向する位置に配される。そして、フレキシブル印刷配線基板１３は、それにおける複数の接触端子部１８がコネクタ装置１０のハウジング１１に配列配置された複数のコンタクト１７に夫々対応する位置をとる状態におかれる。
【００６６】
このとき、コネクタ装置１０のハウジング１１における係合部材２５が取り付けられた端部においては、図７に詳細に示されるように、係合部材２５が、その基部２７がハウジング１１に固定され、その第１の可動アーム状部２８に形成された係止部３５が形成する傾斜面３５ａが、ハウジング１１の正面側端面部に設けられた板状部材差込み部１２からハウジング１１の内部へと伸びる板状部材収容空間内に臨み、その第２の可動アーム状部２９に形成された操作部３７がハウジング１１の上方外面部に設けられた凹部４４からハウジング１１の外部へと突出し、その基部２７から伸びる半田付け部３３がハウジング１１の正面側端面部からその外部へと突出する状態をもって配されている。そして、フレキシブル印刷配線基板１３は、それにおける切欠き係合部３４が係合部材２５の第１の可動アーム状部２８に形成された係止部３５に対応する位置をとる。
【００６７】
同様に、コネクタ装置１０のハウジング１１における係合部材２６が取り付けられた端部においても、係合部材２６が、その基部がハウジング１１に固定され、その第１の可動アーム状部に形成された係止部４１が形成する傾斜面４１ａが、ハウジング１１の正面側端面部に設けられた板状部材差込み部１２からハウジング１１の内部へと伸びる板状部材収容空間内に臨み、その第２の可動アーム状部に形成された操作部４３がハウジング１１の上方外面部に設けられた凹部４５からハウジング１１の外部へと突出し、その基部から伸びる半田付け部３９がハウジング１１の正面側端面部からその外部へと突出する状態をもって配されている。そして、フレキシブル印刷配線基板１３は、それにおける切欠き係合部４０が係合部材２６の第１の可動アーム状部に形成された係止部４１に対応する位置をとる。
【００６８】
その後、図８に示されるように、フレキシブル印刷配線基板１３は、コネクタ装置１０のハウジング１１に、その正面側端面部に設けられた板状部材差込み部１２を通じて差し込まれる。その際には、先ず、フレキシブル印刷配線基板１３における複数の接触端子部１８が配列配置された部分を挟む一対の端縁部３６及び４２が、係合部材２５における第１の可動アーム状部２８に形成された係止部３５が形成する傾斜面３５ａ及び係合部材２６における第１の可動アーム状部に形成された係止部４１が形成する傾斜面４１ａに夫々当接する。
【００６９】
続いて、フレキシブル印刷配線基板１３における端縁部３６及び４２は、フレキシブル印刷配線基板１３のハウジング１１に対する差込み移動に伴って、夫々、係止部３５が形成する傾斜面３５ａ及び係止部４１が形成する傾斜面４１ａによる案内を受けて係止部３５及び係止部４１を乗り越える。このとき、係合部材２５の第１の可動アーム状部２８及び係合部材２６の第１の可動アーム状部は、第１の可動アーム状部２８については図８に示されるように、一旦、揺動を生じて、係合部材２５の基部２７及び係合部材２６の基部に夫々近接する位置へと変位し、その後、自らの弾性復元力によって元の位置に戻る。それにより、図９に示されるように、係合部材２５における係止部３５が、フレキシブル印刷配線基板１３に設けられた切欠き係合部３４に係合してフレキシブル印刷配線基板１３を係止するとともに、係合部材２６における係止部４１が、フレキシブル印刷配線基板１３に設けられた切欠き係合部４０に係合してフレキシブル印刷配線基板１３を係止する状態が得られる。
【００７０】
斯かる際、係合部材２５における第１の可動アーム状部２８が、基部２７から第１の折返し屈曲部３０を介して伸び、第１の折返し屈曲部３０に連なって設けられて係止部３５が形成された第１の弾性揺動可能部分を形成しており、また、係合部材２６における第１の可動アーム状部が、係合部材２６における基部から第１の折返し屈曲部を介して伸び、その第１の折返し屈曲部に連なって設けられて係止部４１が形成された第１の弾性揺動可能部分を形成していることにより、次のような作用効果が得られる。
【００７１】
即ち、フレキシブル印刷配線基板１３がハウジング１１に板状部材差込み部１２を通じて差し込まれたとき、係合部材２５における第１の可動アーム状部２８が第１の折返し屈曲部３０を揺動支点として揺動し、また、係合部材２６における第１の可動アーム状部も第１の折返し屈曲部を揺動支点として揺動することになる。それにより、係合部材２５における第１の可動アーム状部２８及び係合部材２６における第１の可動アーム状部の夫々の揺動により生じる弾性復元力が、係合部材２５における第１の折返し屈曲部３０及び係合部材２６における第１の折返し屈曲部が設けられない場合に比して大なるものとされ、係止部３５及び４１がフレキシブル印刷配線基板１３における切欠き係合部３４及び４０に夫々係合する際に明瞭なクリック感が得られるとともに、係止部３５及び４１によるフレキシブル印刷配線基板１３のハウジング１１からの抜脱阻止がより効果的に行われる。
【００７２】
係合部材２５における係止部３５が切欠き係合部３４に係合するとともに係合部材２６における係止部４１が切欠き係合部４０に係合する状態が得られると、フレキシブル印刷配線基板１３のハウジング１１への差込みが完了し、フレキシブル印刷配線基板１３は、ハウジング１１に対する正規の差込み位置をとり、係合部材２５における第１の可動アーム状部２８に形成された係止部３５及び係合部材２６における第１の可動アーム状部に形成された係止部４１により係止されて、ハウジング１１からの不所望な抜脱が阻止される状態におかれる。即ち、フレキシブル印刷配線基板１３は、ハウジング１１に板状部材差込み部１２を通じて適正に差し込まれるだけで、係合部材２５における第１の可動アーム状部２８に形成された係止部３５及び係合部材２６における第１の可動アーム状部に形成された係止部４１により、ハウジング１１からの不所望な抜脱が阻止される状態におかれることになる。
【００７３】
このようにして、フレキシブル印刷配線基板１３がハウジング１１への板状部材差込み部１２を通じての差込を完了して正規の差込み位置をとるもとにおいては、ハウジング１１に配列配置された複数のコンタクト１７が、各々の屈曲アーム部２２の先端部分に形成された接点部２４をハウジング１１に差し込まれたフレキシブル印刷配線基板１３における複数の接触端子部１８に夫々弾性当接させて、複数の接触端子部１８に夫々接触接続された状態におかれる。それにより、ハウジング１１に差し込まれたフレキシブル印刷配線基板１３における複数の接触端子部１８が、複数のコンタクト１７を介して、ハウジング１１が配された主配線基板に設けられた配線端子に連結される。斯かる状態は、フレキシブル印刷配線基板１３がハウジング１１に板状部材差込み部１２を通じて適正に差し込まれるだけで得られる。
【００７４】
その後、図１０に示されるように、係合部材２５において、第２の可動アーム状部２９に形成されて、ハウジング１１の上方外面部に形成された凹部４４からハウジング１１の外部に突出する操作部３７に、それをハウジング１１の内部に押し込む押圧操作とされる移動操作が加えられると、第２の可動アーム状部２９が基部２７に近接する揺動を行って変位する。それにより、第２の可動アーム状部２９に形成された押圧部３８が、第１の可動アーム状部２８における係止部３５に近接した部分に当接して、第１の可動アーム状部２８を押圧する。その結果、第１の可動アーム状部２８が基部２７に近接する揺動を行って変位し、それに伴って、第１の可動アーム状部２８に形成された係止部３５が、基部２７に近接するように変位して、フレキシブル印刷配線基板１３における切欠き係合部３４との係合を止め、フレキシブル印刷配線基板１３に対する係止を解除する。即ち、係合部材２５における第２の可動アーム状部２９に形成されて、ハウジング１１の上方外面部に形成された凹部４４からハウジング１１の外部に突出する操作部３７は、それに押圧操作とされる移動操作が加えられるとき、第１の可動アーム状部２８にそれに形成された係止部３５によるフレキシブル印刷配線基板１３に対する係止を解除させるのである。
【００７５】
同様に、係合部材２６においても、第２の可動アーム状部に形成されて、ハウジング１１の上方外面部に形成された凹部４５からハウジング１１の外部に突出する操作部４３に、それをハウジング１１の内部に押し込む押圧操作とされる移動操作が加えられると、第２の可動アーム状部が基部に近接する揺動を行って変位する。それにより、係合部材２６における第２の可動アーム状部に形成された押圧部が、第１の可動アーム状部における係止部４１に近接した部分に当接して、第１の可動アーム状部を押圧する。その結果、第１の可動アーム状部が基部に近接する揺動を行って変位し、それに伴って、第１の可動アーム状部に形成された係止部４１が、基部に近接するように変位して、フレキシブル印刷配線基板１３における切欠き係合部４０との係合を止め、フレキシブル印刷配線基板１３に対する係止を解除する。即ち、係合部材２６における第２の可動アーム状部に形成されて、ハウジング１１の上方外面部に形成された凹部４５からハウジング１１の外部に突出する操作部４３は、それに押圧操作とされる移動操作が加えられるとき、第１の可動アーム状部にそれに形成された係止部４１によるフレキシブル印刷配線基板１３に対する係止を解除させるのである。
【００７６】
このようにして、係合部材２５の第１の可動アーム状部２８に形成された係止部３５及び係合部材２６の第１の可動アーム状部に形成された係止部４１によるフレキシブル印刷配線基板１３に対する係止が解除されることにより、ハウジング１１に差し込まれたフレキシブル印刷配線基板１３が、ハウジング１１から適正に抜脱され得る状態におかれる。
【００７７】
そして、係合部材２５における操作部３７及び係合部材２６における操作部４３に、押圧操作とされる移動操作が加えられなくなると、係合部材２５の第２の可動アーム状部２９及び係合部材２６の第２の可動アーム状部の夫々は、自らの弾性復元力によって元の位置に戻り、それに伴って、係合部材２５の第１の可動アーム状部２８及び係合部材２６の第１の可動アーム状部の夫々も、自らの弾性復元力によって元の位置に戻る。
【００７８】
斯かる際、係合部材２５における第２の可動アーム状部２９が、基部２７から第２の折返し屈曲部３１を介して伸び、第２の折返し屈曲部３１に連なって設けられて操作部３７と押圧部３８とが形成された第２の弾性揺動可能部分を形成しており、また、係合部材２６における第２の可動アーム状部が、係合部材２６における基部から第２の折返し屈曲部を介して伸び、その第２の折返し屈曲部に連なって設けられて操作部４３と押圧部とが形成された第２の弾性揺動可能部分を形成していることにより、次のような作用効果が得られる。
【００７９】
即ち、フレキシブル印刷配線基板１３が係合部材２５における係止部３５及び係合部材２６における係止部４１によって係止されたもとで、係合部材２５における操作部３７及び係合部材２６における操作部４３に移動操作が加えられるとき、係合部材２５における第２の可動アーム状部２９が第２の折返し屈曲部３１を揺動支点として揺動し、また、係合部材２６における第２の可動アーム状部も第２の折返し屈曲部を揺動支点として揺動することになる。それにより、係合部材２５における第２の可動アーム状部２９及び係合部材２６における第２の可動アーム状部の夫々の揺動により生じる弾性復元力が、係合部材２５における第２の折返し屈曲部３１及び係合部材２６における第１の折返し屈曲部が設けられない場合に比して大なるものとされ、係合部材２５における操作部３７及び係合部材２６における操作部４３に押圧操作とされる移動操作が加えられなくなったときにおける元の位置への復元が確実に行われる。
【００８０】
また、係合部材２５における操作部３７及び係合部材２６における操作部４３に押圧操作とされる移動操作が加えられるとき、係合部材２５における押圧部３８が第１の可動アーム状部２８に当接してその第１の可動アーム状部２８を押圧し、また、係合部材２６における押圧部が第１の可動アーム状部に当接してその第１の可動アーム状部を押圧するが、その際、係合部材２５における押圧部３８が当接する第１の可動アーム状部２８上の部位が、第１の可動アーム状部２８における係止部３５に近接した部分とされ、また、係合部材２６における押圧部が当接する第１の可動アーム状部上の部位が、第１の可動アーム状部における係止部４１に近接した部分とされる。それにより、係合部材２５における操作部３７及び係合部材２６における操作部４３に対する移動操作の操作量が必要最小限とされ、また、係合部材２５における第１の可動アーム状部２８及び係合部材２６における第１の可動アーム状部の夫々にねじれ等の変形を生じさせる虞が回避される。
【００８１】
なお、上述の例にあっては、フレキシブル印刷配線基板１３が一対の切欠き係合部３４及び４０が設けられたものとされているが、フレキシブル印刷配線基板１３は、一対の切欠き係合部３４及び４０に代えて、一対の係合孔が設けられたものとされてもよく、斯かる場合にも、上述と同様にして、係合部材２５の第１の可動アーム状部２８に形成された係止部３５及び係合部材２６の第１の可動アーム状部に形成された係止部４１によるフレキシブル印刷配線基板１３に対する係止及び係止の解除が行われる。
【００８２】
上述のようなコネクタ装置１０が用いられてそれにおけるハウジング１１に配線板状部材を成すフレキシブル印刷配線基板１３が差し込まれるもとにあっては、フレキシブル印刷配線基板１３をコネクタ装置１０におけるハウジング１１に板状部材差込み部１２を通じて差し込むだけで、ハウジング１１に差し込まれたフレキシブル印刷配線基板１３における複数の接触端子部１８が、複数のコンタクト１７を介して、ハウジング１１が配された主配線基板に設けられた信号端子部に連結されるとともに、ハウジング１１に差し込まれたフレキシブル印刷配線基板１３が、係合部材２５における第１の可動アーム状部２８に形成された係止部３５及び係合部材２６における第１の可動アーム状部に形成された係止部４１によって適正に係止され、フレキシブル印刷配線基板１３のハウジング１１からの不所望な抜脱が阻止される状態を得ることができる。
【００８３】
そして、コネクタ装置１０にあっては、ハウジング１１に差し込まれたフレキシブル印刷配線基板１３に対しての、ハウジング１１に取り付けられた係合部材２５及び２６による、フレキシブル印刷配線基板１３のハウジング１１からの不所望な抜脱を阻止するための係止、及び、フレキシブル印刷配線基板１３のハウジング１１からの抜脱を可能とするための係止の解除を行うにあたり、ハウジング１１に対して回動可能とされるアクチュエータやハウジング１１に対して移動可能とされる可動導電性シェル等が不要とされ、さらには、ハウジング１１の外面部を覆う導電性シェルとハウジングとに夫々係止手段と係止解除手段とを設けることが必要とされず、それにより、構成の簡略化と部品点数の減少とによる製造コストの低減を図ることができ、しかも、係合部材２５及び２６を耐久性の向上が図られたものとすることができる。
【００８４】
また、ハウジング１１に差し込まれたフレキシブル印刷配線基板１３に対する係止及び係止の解除を行う係合部材２５及び２６の夫々を、フレキシブル印刷配線基板１３を係止する係止部と係止部によるフレキシブル印刷配線基板１３に対する係止を解除する操作部及び押圧部とを含む全体が一体形成される、簡単で容易に得ることができる構成を有したものとすることができる。しかも、係合部材２５及び２６の夫々は、弾性金属板材に加工、例えば、打抜き屈曲加工が施されて一体形成され、全体の小型化を図ることができるもとで、係止部３５及び４１によるフレキシブル印刷配線基板１３に対する係止に寄与する弾性力と係止部３５及び４１によるフレキシブル印刷配線基板１３に対する係止の解除に寄与する弾性力とを個別に設定することができるものとされるので、係止部３５及び４１によるフレキシブル印刷配線基板１３に対する係止をより確実にすることと係止部３５及び４１によるフレキシブル印刷配線基板１３に対する係止の解除をより容易にすることとを両立させることができる。
【００８５】
そして、このようなコネクタ装置１０にあっては、フレキシブル印刷配線基板１３をハウジング１１にそれに設けられた板状部材差込み部１２を通じて差し込むだけで、フレキシブル印刷配線基板１３に対しての係合部材２５における係止部３５及び係合部材２６における係止部４１による係止を行うことができ、それとともに、フレキシブル印刷配線基板１３に対しての係止部３５及び４１による係止の解除を、ハウジング１１の外部へと突出する係合部材２５における操作部３７及び係合部材２６における操作部４３に、例えば、押圧操作とされる移動操作を加えるだけで行うことができるので、フレキシブル印刷配線基板１３についての係合部材２５及び２６による係止及び係止の解除を極めて簡単な操作によって行うことができるとともに、斯かる操作のために部材の周囲に不所望なスペースを設けることが必要とされない。
【産業上の利用可能性】
【００８６】
以上のような本発明に係るコネクタ装置は、例えば、フレキシブル印刷配線基板等とされる配線板状部材の主配線基板への取付けに用いられる、板状部材差込み部が設けられたハウジングと、ハウジングに配列配置されて設けられる複数のコンタクトと、ハウジングに設けられ、配線板状部材がハウジングに差し込まれたとき、配線板状部材に対する係止状態と係止解除状態とを選択的にとる係合部材とを備えたコネクタ装置であって、構成の簡略化と部品点数の減少とによる製造コストの低減を図ることができ、しかも、配線板状部材に対する係止及び係止の解除を行う手段の耐久性を向上させることができるもとで、ハウジングに板状部材差込み部を通じて差し込まれた配線板状部材に対するハウジングからの不所望な抜脱を阻止するための係止及びその係止の解除を、確実かつ容易に行えることになるものとして、様々な電子機器等に広く適用され得るものである。
【符号の説明】
【００８７】
１０・・・コネクタ装置，  １１・・・ハウジング，    １２・・・板状部材差込み部，  １３・・・フレキシブル印刷配線基板，  １７・・・コンタクト，  １８・・・接触端子部，  ２１・・・（コンタクト１７の）固定部，  ２２・・・屈曲アーム部，  ２３・・・接続端子部，  ２４・・・接点部，  ２５，２６・・・係合部材，  ２７・・・基部，  ２８・・・第１の可動アーム状部，  ２９・・・第２の可動アーム状部，  ３０・・・第１の折返し屈曲部，  ３１・・・第２の折返し屈曲部，  ３２・・・圧入突起部，  ３３，３９・・・半田付け部，  ３４，４０・・・切欠き係合部，  ３５，４１・・・係止部，  ３５ａ，４１ａ・・・傾斜面，  ３６，４２・・・端縁部，  ３７，４３・・・操作部，  ３８・・・押圧部，  ４４，４５・・・凹部
【図１】
0005741828.tif 000002
【図２】
0005741828.tif 000003
【図３】
0005741828.tif 000004
【図４】
0005741828.tif 000005
【図５】
0005741828.tif 000006
【図６】
0005741828.tif 000007
【図７】
0005741828.tif 000008
【図８】
0005741828.tif 000009
【図９】
0005741828.tif 000010
【図１０】
0005741828.tif 000011